(57)【要約】【課題】あるアプリケーションにおいて使用したファイルを、他のアプリケーションで使用する場合に、目的とするファイルを容易に発見することが可能なファイル選択装置を提供する。【解決手段】アプリケーションでファイルを使用したときに、ファイル識別情報、アプリケーション識別情報、ファイルとアプリケーションとの関連付けを表わす連携情報を含むファイル選択履歴情報を記憶し、実行アプリケーションを起動させた状態において、別のアプリケーションを参照アプリケーションとして選択し、ファイル選択履歴情報に基づいて、参照アプリケーションに関連付けられたファイルのリストを表示させ、表示されるファイルのうちから所望するファイルを選択することにより、選択したファイルを実行アプリケーションで使用可能とする。【選択図】  図１
2014160428.tif 000002
【特許請求の範囲】
【請求項１】
登録された各アプリケーションで使用されるファイルを、複数のファイルから選択するためのファイル選択装置であって、
登録されている複数のアプリケーションそれぞれに対応付けられた複数のアクセス手段が設けられ、該アクセス手段を介してアプリケーションを起動させるアプリケーション起動手段と、
前記アプリケーションの実行画面を表示するアプリケーション表示手段と、
前記アプリケーションで使用可能なファイルのリストを作成し表示させるファイルリスト表示手段と、
前記リストに表示される複数のファイルのうちから所望するファイルを選択する第１のファイル選択手段と、
前記アプリケーション起動手段によって起動されたアプリケーションと前記第１のファイル選択手段によって選択されたファイルとの関連付けを表わす連携情報、該アプリケーションを識別するためのアプリケーション識別情報および該ファイルを識別するためのファイル識別情報を含むファイル選択履歴情報を記憶するファイル履歴記憶手段と、
前記アプリケーション起動手段によって起動されたアプリケーションを実行アプリケーションとし、該実行アプリケーションが起動している状態において、前記登録されている複数のアプリケーションのリストを作成し表示させるアプリケーションリスト表示手段と、
前記アプリケーションリスト表示手段によって表示されるアプリケーションのリストから、前記実行アプリケーションとは異なるアプリケーションを、参照アプリケーションとして選択する参照アプリケーション選択手段と、
前記ファイル選択履歴情報に基づいて、前記参照アプリケーションに関連付けられているファイルのリストを作成し表示させるファイル選択履歴表示手段と、
前記ファイル選択履歴表示手段によって表示されるファイルのうちから所望するファイルを選択する第２のファイル選択手段と、
前記第２のファイル選択手段によって選択したファイルを、前記実行アプリケーションで使用可能とするファイル処理手段とを有することを特徴とするファイル選択装置。
【請求項２】
前記ファイル履歴記憶手段は、ファイル選択履歴情報として、ファイルの種別を示すファイル種別情報をさらに記憶し、
前記ファイル選択履歴表示手段は、前記ファイル種別情報に基づいて、前記参照アプリケーションが使用したファイルのうちから、特定種別のファイルを抽出して表示することを特徴とする請求項１に記載のファイル選択装置。
【請求項３】
前記ファイル選択履歴表示手段は、前記ファイル選択履歴情報に含まれる情報の組み合わせを変更して、ファイルのリストを表示させる表示条件を変更することによって、リストの表示内容を変更可能であることを特徴とする請求項１または２に記載のファイル選択装置。
【請求項４】
前記ファイル履歴記憶手段は、前記第２のファイル選択手段によってファイルを選択したときに、該選択されたファイルを識別するための第２のファイル識別情報、該ファイルと関連付けられる前記実行アプリケーションを識別するための第２のアプリケーション識別情報、および該ファイルと該実行アプリケーションとの関連付けを表わす第２の連携情報を、ファイル選択履歴情報として、さらに記憶することを特徴とする請求項１〜３のいずれか１つに記載のファイル選択装置。
【請求項５】
前記ファイル履歴記憶手段は、前記第２のファイル選択手段によってファイルを選択したときに、該ファイルの表示状態を設定する表示条件情報を、ファイル選択履歴情報としてさらに記憶し、
前記第２のファイル選択手段によって該ファイルを再度選択したときに、前記表示条件情報に基づいて、該ファイルを前回と同じ表示状態で表示するファイル表示再現手段をさらに備えることを特徴とする請求項１〜４のいずれか１つに記載のファイル選択装置。
【発明の詳細な説明】
【技術分野】
【０００１】
本発明は、コンピュータなどの情報処理装置において、登録されたアプリケーションで使用するファイルを、複数のファイルから選択するためのファイル選択装置に関する。
【背景技術】
【０００２】
コンピュータを制御するＯＳ（Operation System）の１つであるＷｉｎｄｏｗｓ（登録商標）では、ファイルの表示および選択をするための手段として、コモンダイアログと呼ばれるＵＩ（User Interface）が提供されている。コモンダイアログは、ダイアログボックスと呼ばれる通常は長方形の領域を画面に表示させ、このダイアログボックス内にファイルおよびフォルダを階層表示させる機能や、コモンダイアログを呼び出そうするアプリケーション（起動元アプリケーション）と予め関連づけられたフォルダ内のファイルを表示する機能が提供されている。さらにＷｉｎｄｏｗｓでは、システム全体で、最近アクセスされたファイルの一覧を表示する機能が提供されている。
【０００３】
ダイアログボックス内にファイルおよびフォルダを階層表示させる場合は、階層を辿って、目的とするファイルが保存されている場所を探し出さなくてはならない。そのため、目的ファイルの保存位置が不明の場合は、この目的ファイルを探し出すのに時間を要するという問題を有している。ダイアログボックスに、呼び出し元アプリケーションと予め関連づけたフォルダを表示する場合、このフォルダには、該アプリケーションが過去に使用したファイルが保存されていることが多いが、このフォルダに保存されなかったファイルが目的ファイルのときは、これを探すのが大変困難である。
【０００４】
システム全体で最近アクセスされたファイルの一覧を表示する機能は、コモンダイアログには組込まれていないから、ダイアログボックスで最近アクセスしたファイルの一覧を表示させることはできない。そのため、あるアプリケーションから、別のアプリケーションで最近使用したファイルを選択しようとしても、コモンダイアログには、別のアプリケーションで最近アクセスしたファイルは表示されないため、最近アクセスしたファイルであっても容易には選択できないという問題がある。
【０００５】
前記問題点に対し、特許文献１には、最近アクセスしたファイルまたはフォルダのリストを、アプリケーションからのファイル選択画面や、フォルダの階層構造を表すフォルダツリーのメニューに追加するファイル操作装置が記載されている。このファイル操作装置によれば、システム全体で、最近アクセスされたファイルやフォルダを、アプリケーションの操作画面やフォルダツリーの表示画面から容易に選択できるとされている。
【０００６】
また特許文献２には、ファイルの保存、クローズなどのファイル操作を最近行ったファイルを、ファイル管理体系図の上位に表示するとともに、ファイル管理体系図上で、このファイルを含むフォルダにシンボルマークを付けるファイル管理システムが記載されている。このファイル管理システムによれば、最近使用したファイルに対するアクセス性を向上させることができるとされている。
【先行技術文献】
【特許文献】
【０００７】
【特許文献１】特開２０００−５６８８５号公報
【特許文献２】特開２００２−１４０２１６号公報
【発明の概要】
【発明が解決しようとする課題】
【０００８】
特許文献１のファイル操作装置は、最近アクセスしたファイルまたはフォルダに対するアクセス性を向上させるものであるが、表示されるファイルまたはフォルダは、アプリケーションの種類にかかわらず、一定期間にアクセスされたもの全てが対象となっている。このため、特定のアプリケーションが最近使用したファイルだけを探すのは、決して容易ではない。
【０００９】
特許文献２のファイル管理システムは、ファイル管理体系図において、最近操作したファイルに対してシンボルを付加するとともに、シンボルを付加したファイルおよびそのファイルが格納されているフォルダを上位に表示して、最近操作したファイルを視覚的に発見し易くしたものであるが、特定のアプリケーションにおいて最近アクセスされたファイルを表示するものでない。つまり、特定のアプリケーションで最近アクセスされたファイルを見つけるのは、必ずしも容易ではない。
【００１０】
このように従来の技術は、特定のアプリケーションで使用したファイルや、システム全体で最近アクセスされたファイルを表示する機能は有しているが、異なるアプリケーションが使用したファイルを容易に選択可能とする機能が提供されない。このため、たとえば使用者が、メール送受信用のアプリケーション（以下、メールアプリという）に添付したファイル（これを目的ファイルとする）を、ブログ投稿用のアプリケーション（以下、ブログ投稿アプリという）でも使用したいと考えた場合に、ブログ投稿アプリから呼び出せるファイル選択アプリケーション（以下、ファイル選択アプリという）で選択可能なのは、「ブログ投稿アプリで過去に選択したファイル」または「システム全体で最近選択したファイル」だけである。目的ファイルが、ブログ投稿アプリでこれまで選択されたことがないファイルであれば、ブログ投稿アプリから呼び出したファイル選択アプリでは表示させることができない。また、目的ファイルが、最近メールアプリで使用されたファイルでないときは、目的ファイルは最近選択されたファイルでないから、システム全体で最近選択されたファイルとしても表示されない。
【００１１】
なお一般に、ブログ投稿アプリで過去に使用したファイルや、システム全体で最近選択されたファイルの表示件数は、最新のものから一定件数までとし、それ以上古い時期のものは表示されないように設定されている。そこで、選択されたファイルの表示件数を多くして、その中に目的のファイルが含まれているようにすることが考えられるが、この場合は、多数の「最近選択されたファイル」の中から、目的ファイルを探し出す必要があるという、新たな問題が生じることになり、やはり目的ファイルを容易に発見することはできない。
【００１２】
本発明の目的は、あるアプリケーションにおいて使用したファイルを、他のアプリケーションで使用する場合に、目的とするファイルを容易に発見することが可能なファイル選択装置を提供することである。
【課題を解決するための手段】
【００１３】
本発明は、登録された各アプリケーションで使用されるファイルを、複数のファイルから選択するためのファイル選択装置であって、
登録されている複数のアプリケーションそれぞれに対応付けられた複数のアクセス手段が設けられ、該アクセス手段を介してアプリケーションを起動させるアプリケーション起動手段と、
前記アプリケーションの実行画面を表示するアプリケーション表示手段と、
前記アプリケーションで使用可能なファイルのリストを作成し表示させるファイルリスト表示手段と、
前記リストに表示される複数のファイルのうちから所望するファイルを選択する第１のファイル選択手段と、
前記アプリケーション起動手段によって起動されたアプリケーションと前記第１のファイル選択手段によって選択されたファイルとの関連付けを表わす連携情報、該アプリケーションを識別するためのアプリケーション識別情報および該ファイルを識別するためのファイル識別情報を含むファイル選択履歴情報を記憶するファイル履歴記憶手段と、
前記アプリケーション起動手段によって起動されたアプリケーションを実行アプリケーションとし、該実行アプリケーションが起動している状態において、前記登録されている複数のアプリケーションのリストを作成し表示させるアプリケーションリスト表示手段と、
前記アプリケーションリスト表示手段によって表示されるアプリケーションのリストから、前記実行アプリケーションとは異なるアプリケーションを、参照アプリケーションとして選択する参照アプリケーション選択手段と、
前記ファイル選択履歴情報に基づいて、前記参照アプリケーションに関連付けられているファイルのリストを作成し表示させるファイル選択履歴表示手段と、
前記ファイル選択履歴表示手段によって表示されるファイルのうちから所望するファイルを選択する第２のファイル選択手段と、
前記第２のファイル選択手段によって選択したファイルを、前記実行アプリケーションで使用可能とするファイル処理手段とを有することを特徴とするファイル選択装置である。
【００１４】
また本発明は、前記ファイル履歴記憶手段が、ファイル選択履歴情報として、ファイルの種別を示すファイル種別情報をさらに記憶し、
前記ファイル選択履歴表示手段は、前記ファイル種別情報に基づいて、前記参照アプリケーションが使用したファイルのうちから、特定種別のファイルを抽出して表示することを特徴とする。
【００１５】
また本発明は、前記ファイル選択履歴表示手段が、前記ファイル選択履歴情報に含まれる情報の組み合わせを変更して、ファイルのリストを表示させる表示条件を変更することによって、リストの表示内容を変更可能であることを特徴とする。
【００１６】
また本発明は、前記ファイル履歴記憶手段が、前記第２のファイル選択手段によってファイルを選択したときに、該選択されたファイルを識別するための第２のファイル識別情報、該ファイルと関連付けられる前記実行アプリケーションを識別するための第２のアプリケーション識別情報、および該ファイルと該実行アプリケーションとの関連付けを表わす第２の連携情報を、ファイル選択履歴情報として、さらに記憶することを特徴とする。
【００１７】
また本発明は、前記ファイル履歴記憶手段が、前記第２のファイル選択手段によってファイルを選択したときに、該ファイルの表示状態を設定する表示条件情報を、ファイル選択履歴情報としてさらに記憶し、
前記第２のファイル選択手段によって該ファイルを再度選択したときに、前記表示条件情報に基づいて、該ファイルを前回と同じ表示状態で表示するファイル表示再現手段をさらに備えることを特徴とする。
【発明の効果】
【００１８】
本発明によれば、アプリケーション起動手段によって、アクセス手段を介して１つのアプリケーションを起動させ、ファイルリスト表示手段が、起動させたアプリケーションで使用可能なファイルのリストを表示し、第１のファイル選択手段がリストから所望するファイルを選択すると、ファイル履歴記憶手段が、ファイル識別情報、アプリケーション識別情報、およびファイルとアプリケーションとの関連付けを表わす連携情報を含むファイル選択履歴情報を記憶するので、アプリケーションでファイルを使用することによって、このファイルとアプリケーションとを関連付ける情報が取得され、記憶される。
【００１９】
そして、所望のアプリケーションを実行アプリケーションとして起動させた状態において、アプリケーションリスト表示手段が、登録されているアプリケーションのリストを表示させ、参照アプリケーション選択手段が、このアプリケーションのリストから参照アプリケーションを選択し、ファイル選択履歴表示手段が、参照アプリケーションに関連付けられたファイルのリストを表示させ、第２のファイル選択手段が、リスト表示されたファイルのうちから所望するファイルを選択し、ファイル処理手段が、選択したファイルを実行アプリケーションで使用可能とするので、実行アプリケーションとは異なる参照アプリケーションで使用されたファイルを容易に見つけ出し、これを実行アプリケーションで即座に使用することが可能となる。すなわち、異なるアプリケーション間で、容易にファイルの共有化を図れる。
【００２０】
また本発明によれば、ファイル履歴記憶手段がファイルの種別を示すファイル種別情報をさらに記憶し、ファイル選択履歴表示手段が、ファイル種別情報に基づいて、参照アプリケーションが使用したファイルのうちから特定種別のファイルを抽出して表示するから、目的ファイルの種別が分かっているときは、表示させるファイルを特定種別に限定して、ファイルの表示数を少なくできるので、目的ファイルの発見が一層容易になる。
【００２１】
また本発明によれば、ファイル選択履歴表示手段が、ファイル選択履歴情報に含まれる情報の組み合わせを変更して、ファイルのリストの表示条件を変更することによって、リストの表示内容を変更可能であるから、目的ファイルが含まれるように表示条件を適切に設定すれば、目的ファイルの発見が一層容易になる。
【００２２】
また本発明によれば、ファイル履歴記憶手段が、第２のファイル選択手段によってファイルを選択したときに、該ファイルを特定する第２のファイル識別情報、実行ファイルを特定する第２のアプリケーション識別情報、および該ファイルと実行アプリケーションとの関連付けを表わす第２の連携情報をさらに記憶するので、実行アプリケーションと、参照アプリケーションが使用したファイルとの関連付けが新たに記憶される。したがって、実行アプリケーションを次回起動したときに、参照アプリケーションが使用したファイルが、この実行アプリケーションが使用可能なファイルのリストに追加されているので、実行アプリケーションで、このファイルを直ちに使用可能となる。
【００２３】
また本発明によれば、ファイル履歴記憶手段が、ファイルの表示状態を設定する表示条件情報をさらに記憶し、第２のファイル選択手段によって該ファイルを再度選択したときに、ファイル表示再現手段が、表示条件情報に基づいて、ファイルを前回表示したときと同じ状態で表示させるから、使用者は、常に同じ表示状態で、目的ファイルを視認することができる。すなわち、目的ファイルの表示状態が変化しないから、使用者は過去の記憶に基づいて目的ファイルを探せるので、目的ファイルの発見が容易である。
【図面の簡単な説明】
【００２４】
【図１】本発明の一実施形態に係るファイル選択装置Ｍの概略構成を示すブロック図である。
【図２】本発明の一実施形態に係るファイル選択装置Ｍのファイル選択履歴情報データベースＤを示すブロック図である。
【図３Ａ】本発明の実施例１に関するものであって、ファイル選択装置Ｍによるファイル選択履歴情報の登録手順を説明するフローチャートである。
【図３Ｂ】図３Ａのフローチャートに対応するファイル選択装置Ｍの表示部２０の表示状態の変移を示す図面である。
【図４Ａ】本発明の実施例１に関するものであって、ファイル選択装置Ｍによるファイル選択手順の前半部分を説明するフローチャートである。
【図４Ｂ】本発明の実施例１に関するものであって、ファイル選択装置Ｍによるファイル選択手順の後半部分を説明するフローチャートである。
【図４Ｃ】図４Ａのフローチャートに対応するファイル選択装置Ｍの表示部２０の表示状態の変移を示す図面である。
【図４Ｄ】図４Ｂのフローチャートに対応するファイル選択装置Ｍの表示部２０の表示状態の変移を示す図面である。
【図５Ａ】本発明の実施例２に関するものであって、ファイル選択装置Ｍによる異なるファイル選択手順を説明するフローチャートである。
【図５Ｂ】図５Ａのフローチャートに対応するファイル選択装置Ｍの表示部２０の表示状態の変移を示す図面である。
【図６Ａ】本発明の実施例３に関するものであって、ファイル選択装置Ｍにおけるファイル選択履歴情報の表示条件を変更する手順の前半部分を説明するフローチャートである。
【図６Ｂ】本発明の実施例３に関するものであって、ファイル選択装置Ｍにおけるファイル選択履歴情報の表示条件を変更する手順の後半部分を説明するフローチャートである。
【図６Ｃ】本発明の実施例３に関するものであって、ファイル選択装置Ｍにおいて、ファイル選択履歴情報の表示条件を変更した後の変更内容を確認する手順を説明するフローチャートである。
【図６Ｄ】図６Ａのフローチャートに対応するファイル選択装置Ｍの表示部２０の表示状態の変移を示す図面である。
【図６Ｅ】図６Ｂのフローチャートに対応するファイル選択装置Ｍの表示部２０の表示状態の変移を示す図面である。
【図６Ｆ】図６Ｃのフローチャートに対応するファイル選択装置Ｍの表示部２０の表示状態の変移を示す図面である。
【発明を実施するための形態】
【００２５】
本発明に係るファイル選択装置は、複数のアプリケーションで複数のファイルを使用する情報処理装置に実装され、たとえばコンピュータやスマートフォンなどに利用される。図１は、本発明の一実施形態に係るファイル選択装置Ｍの概略構成を示すブロック図であり、図２は、本発明の一実施形態に係るファイル選択装置Ｍのファイル選択履歴情報データベースＤを示すブロック図である。
【００２６】
図１に示すように、本実施形態のファイル選択装置Ｍは、記憶部１０、表示部２０、制御部３０、および操作部４０を有している。記憶部１０は、ファイルやアプリケーション（以下の説明において「アプリ」と略称する場合もある）に関する情報、および、ファイル選択装置Ｍの動作の制御に関する情報などを記憶するものであって、ＨＤＤ（Hard Disc Driveハードディスク装置）、ＳＳＤ（Solid State Drive）、フラッシュメモリなどで実現される。表示部２０は、ファイルのリストやアプリケーションのリストを画面に表示させるものであり、液晶パネルや有機ＥＬ（Electro Luminescence）パネルなどを用いたディスプレイ装置によって実現される。制御部３０は、ＣＰＵ（Central Processing Unit）などの情報処理手段と、記憶部１０から各種情報を取得する情報取得部３１とを有し、記憶部１０に情報を記憶させる動作、記憶部１０から情報を読み出す動作、表示部２０における表示内容の制御などを行う。操作部４０は、制御部３０の動作を操作するためのものであり、マウス、キーボードなどで実現される。また、タブレット型ＰＣ（Personal Computer）、ノート型ＰＣ，スマートフォンなどでは、操作部４０としてタッチパネルを利用することも可能である。
【００２７】
記憶部１０は、制御部３０に対し、一体に組付ける構造や、別体に製作したものを有線または無線で接続する構造のほか、ネットワーク上に仮想的な記憶部１０を設け、この記憶部１０から、ネットワークを経由して、必要な情報を取得する態様も可能である。
【００２８】
記憶部１０には、記憶部１０、表示部２０、制御部３０および操作部４０をコンピュータなどの情報処理装置として機能させるシステム制御情報が記憶される。システム制御情報は、たとえばＷｉｎｄｏｗｓなどのＯＳや、各種ハードウェアを動作させるためのドライバなどである。またＯＳがＷｉｎｄｏｗｓベースの場合、使用するアプリケーションの登録情報は、システム制御情報内に、アプリケーション管理情報として記憶される。図１の実施形態では、アプリケーションの登録例として、ブログ投稿アプリ、メールアプリ、画像共有アプリを掲げている。またＯＳに登録される各アプリケーションを識別するためのアプリケーション識別情報は、本実施形態では、アプリケーションごとに割り当てられるアイコン、名称、識別ＩＤ，取り扱うファイルの種別情報、および、アプリケーションの特権情報である。
【００２９】
前記において、ファイルの種別情報とは、画像ファイル、動画ファイル、テキストファイルなどの、ファイルに記録されているデータの種類を表わすものであり、ファイルを使用するアプリケーションが付与する情報である。たとえば、ＯＳがＡｎｄｒｏｉｄ（登録商標）である場合、ファイル種別はｍｉｍｅＴｙｐｅ（multipurpose internet mail extension Type）が付与されるようになっており、画像ファイルの場合、”ｉｍａｇｅ／拡張子”のように記憶される。
【００３０】
また特権情報とは、記憶部１０への書き込み可能性、通信可能性、他のデータベースへのアクセス可能性など、アプリケーションを実行する上で、アプリケーションが設定している動作権限に関する情報である。
【００３１】
記憶部１０には、ファイルを識別するためのファイル識別情報が、ファイルシステムとともに記憶される。本実施形態のファイル識別情報は、ファイル名と、ファイルの保存位置を示す保存パスである。ファイルがネットワーク上に保存されている場合、ファイルの保存位置は、ＵＲＬ（uniform resource locator）で示すことも可能である。
【００３２】
また記憶部１０には、ファイル選択アプリ、表示部２０にファイル選択アプリの操作画面を表示させるためのファイル選択アプリＵＩ、および、ファイル選択アプリでファイルのリストを表示部２０に表示させるときの表示状態を設定する表示条件情報が記憶される。
【００３３】
一般に、ファイル選択アプリは、実装される記憶装置またはネットワーク上に存在するファイルの情報が蓄積されて生成されたファイルデータベースからファイル情報を取得して、記憶装置またはネットワーク上に存在するファイルのリストを作成し、表示し、リスト中の任意のファイルを選択可能とする機能を有する。また、特定のアプリケーションと連動して、ファイル選択アプリを起動させた場合は、特定のアプリケーションが過去に使用したファイルや、特定のアプリケーションが使用可能なファイルなどの条件で絞込みやソートを行って、特定アプリケーションと関連付けられたファイルリストを作成し、表示する。
【００３４】
記憶部１０は、制御部３０が、情報取得部３１の処理によって、ファイルシステムに基づき作成するファイルリストデータベースと、このファイルリストデータベースに基づいてファイル選択アプリが表示させるファイルリストの情報と、ファイルリストを表示させるときの条件を設定するファイルリスト表示条件情報とを記憶する。
【００３５】
また記憶部１０は、アプリケーションで使用するファイルを選択したときに、ファイルとアプリケーションとの関連付けを表わすファイル選択履歴情報が登録され、このファイル選択履歴情報を集成したファイル選択履歴情報データベースＤを記憶し、このファイル選択履歴情報データベースＤに基づいて作成されるファイル選択履歴リストの情報と、ファイル選択履歴リストを表示させるときの表示条件を設定するファイル選択履歴表示条件情報とをさらに記憶する。
【００３６】
前述のファイル選択履歴情報データベースＤは、観念的には、図２に示すような構造となっている。すなわち、ファイル選択履歴情報データベースＤは、ファイル関連情報ｄ１を記憶する部分、アプリケーション関連情報ｄ２を記憶する部分、および、ファイル選択履歴リストを表示するときの表示条件情報ｄ３に関する部分を含んでいる。そして、アプリケーションで使用するファイルを選択したときに、ファイル関連情報ｄ１として、ファイルの選択日時、ファイル名、ファイルパスおよびファイル識別ＩＤなどのファイル識別情報に加えて、ファイルを使用したアプリを識別するためのアプリ連携ＩＤ、および、ファイル選択履歴リストを表示させるときの表示条件を設定するためのアプリ設定ＩＤが記憶される。これと同時に、アプリケーション関連情報ｄ２として、アプリケーションの名称、識別ＩＤ，ファイル種別情報、特権情報、およびアイコンなどのアプリケーション識別情報に加えて、ファイルとの関連付けを表わすアプリ連携ＩＤが記憶される。さらに表示条件情報ｄ３として、アプリ設定ＩＤ、ファイル選択履歴リストを表示させる場所を示す情報、表示させるファイルのソート条件、絞り込み条件およびフォーカス位置情報を記憶する。そして、これらファイル関連情報ｄ１、アプリケーション関連情報ｄ２および表示条件情報ｄ３を集成して、ファイル選択履歴情報データベースＤが構築される。
【００３７】
本実施形態のファイル選択装置Ｍは、以下のような動作を行う。この場合、複数のファイルおよび複数のアプリケーションを記憶する記憶部１０は、実装される記憶装置に設けても、またはネットワーク上の仮想ストレージに設けてもよい。
【００３８】
アクセス手段は、タッチパネルが設けられる表示部２０に表示されるアイコンや、たとえばスマートフォンの場合、装置本体に設けられるボタンに、特定のアプリケーションにアクセスする機能を割り付けることが考えられる。
【００３９】
なおアプリケーション起動手段は制御部３０と操作部４０によって、アプリケーション表示手段、ファイルリスト表示手段は、表示部２０と制御部３０とによって、第１のファイル選択手段は制御部３０と操作部４０とによって、ファイル履歴記憶手段は記憶部１０と制御部３０とによって、アプリケーションリスト表示手段は表示部２０と制御部３０とによって、参照アプリケーション選択手段は制御部３０と操作部４０とによって、ファイル選択履歴表示手段は表示部２０と制御部３０とによって、第２のファイル選択手段は制御部３０と操作部４０とによって、ファイル処理手段は制御部３０によって、それぞれ実現される。
【００４０】
使用者が、ファイル選択装置Ｍを実装したコンピュータなどの情報処理装置において、登録されている複数のアプリケーションのうちから選択した１つのアプリケーションで、所望するファイルを使用する場合を想定する。使用者は、アプリケーション起動手段によって１つのアプリケーションを選択して起動させ、アプリケーション表示手段でこのアプリケーションの実行画面を表示させ、ファイルリスト表示手段によって、このアプリケーションで使用可能なファイルのファイルリストを表示させ、このファイルリストに表示される複数のファイルのうちから所望するファイルを、第１のファイル選択手段によって選択する。
【００４１】
このとき、ファイル履歴記憶手段が、第１のファイル選択手段によって選択されたファイルのファイル識別情報、該ファイルに関連付けられたアプリケーションのアプリケーション識別情報、および該ファイルと該アプリケーションとの関連付けを表わす連携情報としてのアプリ連携ＩＤとを、ファイル選択履歴情報として記憶する。したがって、ファイル選択装置Ｍは、使用者がアプリケーションを起動させファイルを使用するたびに、ファイル選択履歴情報を作成して蓄積させる。そして、それらは集成されて、ファイル選択履歴情報データベースが構築される。
【００４２】
しかるのち、使用者が、あるアプリケーションで過去に使用したファイルを、他のアプリケーションでも使用したいと考えたときは、ファイル選択装置Ｍは、次のような動作によって、目的ファイルを他のアプリケーションでも使用可能とする。ファイル選択装置Ｍにおいて、アプリケーション起動手段によってアクセス手段を介して起動させたアプリケーションを実行アプリケーションとし、実行アプリケーションの起動状態において、アプリケーションリスト表示手段で、登録されている複数のアプリケーションのリストを表示させる。使用者は表示されるアプリケーションのリストから、参照アプリケーション選択手段によって、目的ファイルを過去に使用したアプリケーションを、参照アプリケーションとして選択する。
【００４３】
参照アプリケーションを選択すると、ファイル選択装置Ｍが、ファイル選択履歴情報データベースから取得したアプリケーションの識別ＩＤを用いて、システム制御情報に記憶されているアプリケーション管理情報に対し問い合わせを行い、参照アプリケーションのアイコン情報および特権情報などを取得し、これに基づいて、参照アプリケーションに関する情報を表示する。
【００４４】
またファイル選択履歴表示手段が、ファイル選択履歴情報に基づき、参照アプリケーションが使用したファイルのリストを表示させる。そして使用者が、第２のファイル選択手段によって、ファイル選択履歴表示手段が表示するファイルのうちから、所望する目的ファイルを選択すると、ファイル処理手段によって、選択した目的ファイルが、実行アプリケーションで使用可能なる。
【００４５】
なお、ファイル履歴記憶手段が、ファイル選択履歴情報として、参照アプリケーションでファイルが選択された日時の情報を記憶している場合、ファイル選択履歴表示手段が、ファイルを選択日時順に新しいものから順に、または古いものから順に、並べ替えて表示する機能を持たせることができる。
【００４６】
またファイル履歴記憶手段が、ファイル種別情報をさらに記憶している場合は、このファイル種別情報を用いることにより、ファイル選択履歴表示手段によって、参照アプリケーションが使用したファイルのリストを表示させる際に、表示対象を特定種別に限定するソート条件を付与することによって、特定種別のファイルだけを抽出して表示させることが可能である。したがって、目的ファイルのファイル種別が分かっているときは、見つけ出すのが容易になる。
【００４７】
また、ファイル選択履歴情報に含まれる情報の組み合わせを変更して、ファイルを表示させる表示条件を変更することによって、ファイル選択履歴表示手段が表示させるリストの表示内容を変更すりことも可能である。たとえば、ファイル表示条件として、「特定の２つのアプリが使用したファイル」に条件変更すれば、この条件に合致するファイルだけを抽出して表示させることができる。あるいは表示対象を「記憶部１０に保存されているファイル」に限定すれば、記憶部１０内のファイルだけが表示され、ネットワークストレージなどのファイルは表示対象から除外されるから、目的ファイルの発見が一層容易になる。
【００４８】
また、ファイル履歴記憶手段が、第２のファイル選択手段によって目的ファイルを選択したときに、この選択された目的ファイルを特定するための第２のファイル識別情報、該目的ファイルを使用する実行アプリケーションを特定するための第２のアプリケーション識別情報、および該目的ファイルと該実行アプリケーションとの関連付けを表わす第２の連携情報を、ファイル選択履歴情報として、さらに記憶するようにしてもよい。これにより、実行アプリケーションと目的ファイルとの新たな関連付けが記憶され、実行アプリケーションから、目的ファイルへ直接アクセスすることが可能となる。
【００４９】
さらにまた、第２のファイル選択手段によって目的ファイルを選択したときに、ファイル履歴記憶手段が、ファイルの表示状態を設定する表示条件情報をファイル選択履歴情報としてさらに記憶し、第２のファイル選択手段によって目的ファイルを再度選択したときには、新たに記憶した表示条件情報に基づいて、目的ファイルの表示状態を前回と同じ表示状態とする、ファイル表示再現手段をさらに備えてもよい。これにより、目的ファイルを過去に選択した際のファイル選択アプリの表示条件情報を取得し、過去における目的ファイルの選択時の状態を再現して、同一条件でのファイル選択を可能とする。したがって、目的ファイルを２度目に選択したとき、前回と共通の表示状態で表示されるから、使用者は、目的ファイルを容易に見つけ出すことができる。なお、このとき、目的ファイルを使用したアプリケーションの情報を利用する態様と、利用しない態様とを、設定によって切り替え可能としてもよい。
【００５０】
さらに本実施形態では、ファイルリストの表示条件を変更できるＵＩを設けてもよい。たとえば、ファイルリストを表示するダイアログボックスに表示変更用のＵＩを設け、このＵＩから、リストの表示条件を変更することで、ファイルリストの表示内容を変えることが考えられる。
【００５１】
さらに本実施形態のファイル選択装置Ｍは、ファイル選択履歴情報によるリストの表示内容を、参照アプリケーションの種類や、ファイルの種別情報などの表示条件に応じて切り替えて変更することができるため、前記条件を辿ってファイル検索することにより、目的とするファイルを探し出し易い。
【００５２】
また、過去に目的ファイルを選択したときの選択画面を再現して表示させることができるから、目的ファイルに関連して過去に選択したことのあるファイルを選択することも可能であるから、目的ファイルと関連性の有るファイルを容易に発見することができる。
【００５３】
なお本発明では、登録されたアプリケーションで、過去に使用したことのあるファイルは、ファイル選択履歴を表示する条件を適宜設定することで、必ず表示させることができる。したがって、目的ファイルを必ず探し出すことが可能である。
【実施例】
【００５４】
（実施例１）
本発明に係るファイル選択装置Ｍを、情報処理装置であるスマートフォンに実装し、ブログ投稿アプリで使用した画像を、メールアプリでも使用する場合について説明する。
【００５５】
図３Ａ〜図４Ｄは、本発明の実施例１に関するものであって、図３Ａはファイル選択装置Ｍによるファイル選択履歴情報の登録手順を説明するフローチャート、図３Ｂは、図３Ａのフローチャートに対応するファイル選択装置Ｍの表示部２０の表示状態の変移を示す図面、図４Ａは、ファイル選択装置Ｍによるファイル選択手順の前半部分を説明するフローチャート、図４Ｂは、ファイル選択装置Ｍによるファイル選択手順の後半部分を説明するフローチャート、図４Ｃは、図４Ａのフローチャートに対応するファイル選択装置Ｍの表示部２０の表示状態の変移を示す図面、図４Ｄは、図４Ｂのフローチャートに対応するファイル選択装置Ｍの表示部２０の表示状態の変移を示す図面である。
【００５６】
本実施例のファイル選択装置Ｍは、図１に示す構成を有し、記憶部１０、表示部２０、制御部３０、および操作部４０は、スマートフォンに実装されているものとする。記憶部１０に記憶されるシステム制御情報であるＯＳには、たとえばＡｎｄｒｏｉｄが採用される。表示部２０は液晶パネルまたは有機ＥＬパネルから成るディスプレイ装置である。制御部３０はＣＰＵが用いられる。操作部４０は表示部２０の表面に設けられるタッチパネルである。
【００５７】
記憶部１０には、メッセージを作成しブログに投稿するためのブログ投稿アプリ、電子メールを作成し送受信するためのメールアプリ、画像データを送受信する画像共有アプリが登録されており、各アプリは、図１に示すとおりのアイコン情報、名称、識別ＩＤ，ファイル種別情報および特権情報が、アプリケーション識別情報として記憶されている。また、記憶部１０に保存されているファイル、および、このスマートフォンが接続するネットワーク上に存在するファイルに関するファイル識別情報が、ファイルシステムとして、記憶部１０に記憶されている。ファイル識別情報は、ファイル名と、保存パスまたはＵＲＬである。
【００５８】
さらに記憶部１０には、登録されているアプリと連動して起動するファイル選択アプリ、ファイル選択画面を表示させるファイル選択アプリＵＩ、および、ファイル選択アプリの設定情報が記憶される。また、ファイルリストデータベースが、制御部３０の情報取得部３１の処理により、ファイルシステムから予め生成され、記憶されている。
【００５９】
記憶部１０に記憶されるファイル選択履歴情報データベースＤは、アプリでファイルを使用することによって登録されるファイル選択履歴情報を集成することによって生成される。その手順を、図３Ａおよび図３Ｂを用いて説明する。まず、ブログ投稿をするため、表示部２０の表示画面に表示されている「ブログ投稿アプリ」のアイコンを選択し、これをタップすることによって、ブログ投稿アプリを起動させる（ステップＳ１。以下「ステップ」を省略する）。これにより、表示部２０に、ブログ投稿アプリの起動画面が表示される（表示Ｔ１。以下「表示」を省略する）。次に、ブログ投稿に使用する画像を選択するために、ファイル選択アプリを起動させる（Ｓ２）。これにより、ファイル選択アプリが表示部２０にファイルリストを表示させる（Ｓ３，Ｔ２）。表示されるファイルは、種別情報に基づいて、画像ファイルだけに限定してもよい。ファイルリストは、ファイルリストデータベースに基づいて、ブログ投稿アプリが使用可能なファイルを抽出してリストを作成し、表示させたものである。続いて、ファイル選択アプリのファイルリスト表示条件設定メニューを開き、その中の［表示する場所］の項目を、「情報端末内のファイルのみ表示」に変更する（Ｓ４）。これにより、ファイル選択アプリのファイルリストには、スマートフォン内に保存されているファイルのみが表示される（Ｓ５，Ｔ３）。
【００６０】
引き続き、使用するファイルとして、画像Ｆを選択する（Ｓ６）。画像Ｆの選択を契機に、下記ファイル選択履歴情報が、ファイル選択履歴情報データベースに登録される（Ｓ７）。
画像Ｆの特定情報（ファイル名、ファイルパス、データベース上のＩＤ）
画像Ｆの選択日時
ブログ投稿アプリの特定情報（アプリケーションの名称：ブログ投稿、アプリケーションの識別ＩＤ：ｂｒｏｇ、ファイル種別情報：”ｉｍａｇｅ／ｊｐｅｇ”）
ファイル選択アプリの表示設定情報（表示する場所：情報端末内のファイルのみ表示、ファイルリストの表示位置、リストのソート条件）
【００６１】
制御部３０の情報取得部３１は、ファイル選択履歴情報データベースに登録されたブログ投稿アプリのアプリケーション識別ＩＤ（ｂｒｏｇ）に基づいて、記憶部１０のアプリケーション管理情報に、ブログ投稿アプリのアイコンと、アプリ特権情報の問い合わせを行い、それぞれ「Ｂ」、「ネットワーク接続可能」という情報を取得し、これをファイル選択履歴情報データベースＤに登録する（Ｓ８）。
【００６２】
画像Ｆを選択すると、再びブログ投稿アプリが起動し（Ｓ９）、ブログ投稿アプリは、ファイル選択アプリより受け取った画像Ｆの情報に基づいて、選択された画像Ｆを、ブログ投稿アプリ画面に表示し（Ｔ４）、必要に応じて、これを処理する（Ｓ１０）。
【００６３】
前記手順に続いて、ブログ投稿アプリで使用した画像Ｆを、画像共有アプリで使用するための手順を、図４Ａ〜図４Ｄを用いて説明する。はじめに、画像共有アプリを、実行アプリとして起動させる（Ｓ１１）。これにより、画像共有アプリ画面が、表示部２０に表示される（，Ｔ１１）。画像共有アプリで使用する画像ファイルを選択するために、ファイル選択アプリを起動させる（Ｓ１２）。これにより、ファイル選択アプリのファイルリスト表示画面が表示部２０に表示される（Ｓ１３，Ｔ１２）。次いで、ファイルリスト表示画面に表示される履歴表示をタップし（Ｓ１４）、画像共有アプリにおける履歴リスト画面を表示させる（Ｓ１５，Ｔ１３）。制御部３０は、ファイル選択履歴情報データベースから、起動中の実行アプリである「画像共有アプリ」のファイル選択履歴情報を取得し、これを履歴リストにリスト表示する。続いて、ファイル選択履歴リストの表示画面において、実行アプリである「画像共有アプリ」のアプリ名称の表示部分（図４Ｃに▽が表示されている箇所）にタッチする（Ｓ１６）。これにより、ファイル選択履歴データベースに登録されているアプリケーションの名称のリストが、プルダウンメニューとして表示される（Ｓ１７，Ｔ１４）。
【００６４】
続いて、目的とする画像Ｆのファイルを使用したブログ投稿アプリを参照アプリとして指定するため、リスト表示されたアプリケーションから、「Ｂ」ブログ投稿を選択しタッチする（Ｓ１８）。これにより、ファイル選択履歴データベースからブログ投稿アプリのファイル選択履歴情報を取得し、ブログ投稿アプリが過去に使用したファイルのリストを、ファイル選択アプリの履歴リスト画面に表示する（Ｓ１９，Ｔ１５）。そして、表示されたリストの中から、目的の画像Ｆをタッチする（Ｓ２０）と、ファイル選択履歴データベースから、過去にブログ投稿アプリで画像Ｆをファイル選択アプリで選択したときの画面の表示条件（表示する場所、ファイルリストの表示位置、リストのソート条件などの情報）を取得して（Ｓ２１）、画像Ｆのファイルを選択したときの、ファイル選択アプリのファイルリスト画面の表示状態を再現して表示する（Ｓ２２，Ｔ１６）。したがって使用者は、過去に画像Ｆを選択したときの記憶に基づいて、画像Ｆを探せるから、目的ファイルを容易に発見することができる。次いで、ファイル選択アプリのファイルリストに表示された画像Ｆを選択すれば（Ｓ２３）、画像共有アプリの画面に画像Ｆが表示された状態となり（Ｔ１７，Ｓ２５）、画像共有アプリで画像Ｆを使用可能となる。
【００６５】
また画像Ｆの選択を契機に、下記情報を、ファイル選択履歴情報として、ファイル選択履歴データベースに登録して、画像Ｆと画像共有アプリとの関連付け情報を新たに記憶する（Ｓ２４）。
画像Ｆの特定情報（ファイル名、ファイルパス、データベース上のＩＤ）
画像Ｆの選択日時
実行アプリ（画像共有アプリ）の特定情報（アプリケーションの名称：画像共有、アプリケーションの識別ＩＤ：ｓｈａｒｅ、ファイル種別情報：”ｉｍａｇｅ／ｊｐｅｇ”）
ファイル選択アプリの表示条件情報（表示する場所：情報端末内のファイルのみ表示、ファイルリストの表示位置、リストのソート条件）
【００６６】
（実施例２）
実施例２は、実施例１の手順を実行したのち、ブログ投稿アプリで使用した画像Ｆを選択する際に発見した画像Ｇを、画像共有アプリで使用する際の手順を説明するものである。図５Ａは、ファイル選択装置Ｍによる異なるファイル選択手順を説明するフローチャート、図５Ｂは、図５Ａのフローチャートに対応するファイル選択装置Ｍの表示部２０の表示状態の変移を示す図面である。
【００６７】
実施例１の手順の実行後、画像共有アプリを、実行アプリとして起動させる（Ｓ３１）。これにより、画像共有アプリの起動画面が表示される（Ｔ３１）。次に、ファイル選択アプリを起動させて（Ｓ３２）、画像共有アプリで使用可能な画像ファイルのリストを、ファイル選択アプリのファイルリストに表示させる（Ｔ３２）。次いで、ファイルリストの表示画面において、「履歴表示」の部分をタップする（Ｓ３３）。これにより、ファイル選択履歴データベースから、実行アプリである画像共有アプリのファイル選択履歴情報を取得し、画像共有アプリが過去に使用したファイルのリストを、ファイル選択アプリの履歴リストに表示させる（Ｓ３４，Ｔ３３）。
【００６８】
本例は前記実施例１の手順の実行後であるから、ファイル選択アプリの履歴リストに、画像Ｆが表示される。そこで画像Ｆをタッチする（Ｓ３５）と、制御部３０は、ファイル選択履歴データベースから、過去に画像Ｆを選択したときのファイル選択アプリの表示条件情報（表示する場所、ファイルリストの表示位置、リストのソート条件など）を取得して（Ｓ３６）、前回、画像Ｆのファイルを選択したときのファイルリスト画面の表示状態を再現して表示する（Ｓ３７，Ｔ３４）。すなわち、ファイル選択アプリのファイルリスト画面に、画像Ｆとともに、目的とする画像Ｇが表示された状態が再現される。したがって使用者は、記憶に基づいて、目的とする画像Ｇのファイルを容易に見つけ出すことができる。
【００６９】
続いて、画像Ｇを選択すれば（Ｓ３８）、画像共有アプリの画面に画像Ｇが表示された状態となり（Ｔ３５）、画像Ｇを画像共有アプリで使用可能となる（Ｓ４０）。
【００７０】
また、画像Ｇ選択を契機に、下記情報を、ファイル選択履歴情報として、ファイル選択履歴データベースに登録して、画像Ｇと画像共有アプリとの関連付け情報を新たに記憶する（Ｓ３９）。
画像Ｇの特定情報（ファイル名、ファイルパス、データベース上のＩＤ）
画像Ｇの選択日時
画像共有アプリの特定情報（アプリケーションの名称：画像共有、アプリケーションの識別ＩＤ：ｓｈａｒｅ、ファイル種別情報：”ｉｍａｇｅ／ｊｐｅｇ”）
ファイル選択アプリの表示条件情報（表示する場所：情報端末内のファイルのみ表示、ファイルリストの表示位置、リストのソート条件）
【００７１】
（実施例３）
実施例３は、ファイル選択履歴情報の表示条件を変更して、表示内容を変更する手順を説明するものである。図６Ａは、ファイル選択装置Ｍにおけるファイル選択履歴情報の表示条件を変更する手順の前半部分を説明するフローチャート、図６Ｂは、ファイル選択装置Ｍにおけるファイル選択履歴情報の表示条件を変更する手順の後半部分を説明するフローチャート。図６Ｃは、ファイル選択装置Ｍにおいて、ファイル選択履歴情報の表示条件を変更した後の変更内容を確認する手順を説明するフローチャートである。図６Ｄは、図６Ａのフローチャートに対応するファイル選択装置Ｍの表示部２０の表示状態の変移を示す図面、図６Ｅは、図６Ｂのフローチャートに対応するファイル選択装置Ｍの表示部２０の表示状態の変移を示す図面、図６Ｆは、図６Ｃのフローチャートに対応するファイル選択装置Ｍの表示部２０の表示状態の変移を示す図面である。
【００７２】
まず始めに、所望するアプリを起動させる。本例では、画像共有アプリを起動させる。そして、ファイル選択アプリを起動させて（Ｓ４１）、表示部２０に、画像共有アプリが使用可能なファイルのリストを表示させた状態とする（Ｔ４２）。次いで、ファイル選択アプリのファイルリスト表示画面において、履歴表示をタップする（Ｓ４２）。これにより、画像共有アプリが過去に使用したファイルのリストを、履歴リストとして表示する画面となる（Ｔ４２）。続いて、履歴リスト表示画面に表示される履歴設定をタップする（Ｓ４３）。これにより、ファイル選択アプリの履歴設定画面となり（Ｔ４３）、履歴設定に関し、使用者が設定可能な項目の一覧が表示される（Ｓ４４）。表示される項目は、たとえば、新規に表示条件を設定する「ルール作成」、既存の表示条件を変更する「ルール変更」、記憶されている選択履歴情報を消去する「履歴削除」などである。
【００７３】
本例では、新規の表示条件を設定する手順について説明する。前記の履歴設定画面において、「ルール作成」をタップする（Ｓ４５）。これにより、ファイル選択アプリの表示条件を設定する履歴ルール作成画面（トップ画面）が表示される（Ｓ４６，Ｔ４４）。この履歴ルール作成画面のトップ画面において、新規ルール名の入力エリアである「新規ルール１」の部分を選択し、本例では「画像選択」と入力する（Ｓ４７，Ｔ４５）。続いて、ルール名称の表示部分の下方に表示される新規ルール設定エリアの「起動元アプリを組み合わせる」をタップする（Ｓ４８）。これにより、履歴ルール作成画面が第２画面に移行し、ファイル選択履歴情報データベースから取得した登録アプリケーションの名称のリストが表示される（Ｓ４９，Ｔ４６）。なお、登録アプリケーションの名称は、システム制御情報に記憶されているアプリケーション管理情報から取得してもよい。
【００７４】
引き続き、使用者が、表示させるファイルと関連付けられているアプリケーションを選択する（Ｓ５０）。本例では、「画像共有」と「ブログ投稿」との２つのアプリを選択し、履歴ルール作成画面（第２画面）における「設定」エリアに、これら２つのアプリの名称を表示させる（Ｔ４７）。この状態で「ＯＫ」をタップすれば（Ｓ５１）、履歴ルール作成画面がトップ画面へ移行し、設定したアプリのアイコン「Ｓ」「Ｂ」が表示される（Ｔ４８）。最後に「登録」をタップする（Ｓ５３）ことで、ファイル選択履歴情報の新しい表示条件を設定した「画像選択」が、ファイル選択履歴情報データベースに登録される（Ｓ５４）。
【００７５】
こうして新規に登録されたファイル選択履歴情報の表示条件は、次のようにして確認することができる。ファイル選択アプリを起動させて、表示部２０に、画像共有アプリが使用可能なファイルのリストを表示する履歴リスト画面とする（Ｔ４９）。この画面において、実行アプリの名称を表示する「画像共有」の部分にタッチする（Ｓ５５）。すると、ファイル選択履歴情報データベースに基づいて、登録されているアプリケーションの名称およびファイルの表示条件を設定するルール名が、プリダウンメニューとして表示される（Ｓ５６，Ｔ５０）。本例では、前記手順により、新規ルールとして「画像選択」を登録したので、これが新たに「★」画像選択として表示されることになる。そして、この「★」画像選択をタッチすれば（Ｓ５７）、「★」画像選択で設定された表示条件情報を取得して（Ｓ５８）、ファイル選択アプリの履歴リストの表示画面に、この「画像選択」に設定された表示条件に基づいて、ファイル選択履歴情報データベースから抽出したファイルのリストを表示する（Ｓ５９，Ｔ５１）。本例では、「画像選択」は、関連付けられるアプリとして、画像共有アプリとブログ投稿アプリとを指定しているので、選択されるファイルは、画像共有アプリおよびブログ投稿アプリの両方で使用されたファイルに絞り込まれて表示される。
【符号の説明】
【００７６】
Ｍ  ファイル選択装置
１０  記憶部
２０  表示部
３０  制御部
３１  情報取得部
４０  操作部
Ｄ  ファイル選択履歴情報データベース
ｄ１  ファイル関連情報
ｄ２  アプリケーション関連情報
ｄ３  表示条件情報
【図１】
2014160428.tif 000003
【図２】
2014160428.tif 000004
【図３Ａ】
2014160428.tif 000005
【図３Ｂ】
2014160428.tif 000006
【図４Ａ】
2014160428.tif 000007
【図４Ｂ】
2014160428.tif 000008
【図４Ｃ】
2014160428.tif 000009
【図４Ｄ】
2014160428.tif 000010
【図５Ａ】
2014160428.tif 000011
【図５Ｂ】
2014160428.tif 000012
【図６Ａ】
2014160428.tif 000013
【図６Ｂ】
2014160428.tif 000014
【図６Ｃ】
2014160428.tif 000015
【図６Ｄ】
2014160428.tif 000016
【図６Ｅ】
2014160428.tif 000017
【図６Ｆ】
2014160428.tif 000018